【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
複数のタスクを含む処理フローを管理する情報処理装置と、処理フローに含まれるタスクの少なくとも１つを実行する画像処理装置と、ユーザー端末とを含むシステムであって、
前記情報処理装置は、
前記画像処理装置から要求された処理フローが、前記画像処理装置から前記ユーザー端末へ、処理対象となる文書が添付された電子メールを送信するメール送信タスクを含む場合、当該要求された処理フローに対応付けてメールアドレスを発行する発行手段と、
前記発行されたメールアドレスを、前記電子メールのＲｅｐｌｙ−Ｔｏ設定として、前記要求された処理フローに含まれる前記メール送信タスクに設定する設定手段と、
前記設定手段にて設定された処理フローを前記画像処理装置に送信する第一の送信手段と
を有し、
前記画像処理装置は、
前記第一の送信手段によって送信された前記処理フローを受信する第一の受信手段と、
前記第一の受信手段にて受信された前記処理フローに含まれる前記メール送信タスクに設定されたメールアドレスがＲｅｐｌｙ−Ｔｏに設定された、添付文書付きの電子メールを、前記ユーザー端末へ送信する第二の送信手段と
を有することを特徴とするシステム。
【請求項２】
前記メール送信タスクは、更に、前記画像処理装置から前記ユーザー端末に前記添付文書付きの電子メールを送信する際に用いる当該ユーザー端末のメールアドレスを含むことを特徴とする請求項１に記載のシステム。
【請求項３】
前記情報処理装置は、
電子メールを受信する第二の受信手段と、
前記第二の受信手段が前記発行手段にて発行されたメールアドレスへの返信として、前記ユーザー端末で操作された添付文書付きの電子メールを受信した場合、当該受信した電子メールに含まれる前記操作された添付文書に対して、当該メールアドレスに対応する処理フローの実行を継続する実行手段と
を更に有することを特徴とする請求項１または２に記載のシステム。
【請求項４】
前記実行手段は、前記画像処理装置の前記第二の送信手段が前記ユーザー端末に前記電子メールを送信する際に用いたユーザー端末のメールアドレスと、前記第二の受信手段にて受信した電子メールの送信元のメールアドレスとが一致しない場合、前記処理フローの実行を中止することを特徴とする請求項３に記載のシステム。
【請求項５】
前記実行手段は、前記受信した電子メールの送信元を電子署名を用いて認証することを特徴とする請求項３または４に記載のシステム。
【請求項６】
前記処理フローを実行が終了した場合、当該処理フローの実行の結果を、前記受信した電子メールの送信元のメールアドレス宛てに送信することを特徴とする請求項３乃至５のいずれか一項に記載のシステム。
【請求項７】
前記情報処理装置は、処理フローの設定を受け付ける受付手段を更に有し、
前記受付手段は、当該処理フローの処理の途中に前記メール送信タスクを行うか否かの設定と、当該ユーザー端末のメールアドレスを受け付けることを特徴とする請求項１乃至６のいずれか一項に記載のシステム。
【請求項８】
前記第一の送信手段は、前記処理フローに含まれるタスクのうち、前記画像処理装置が実行するタスクのみを当該画像処理装置へ送信することを特徴とする請求項１乃至７のいずれか一項に記載のシステム。
【請求項９】
複数のタスクを含む処理フローを管理する情報処理装置と、処理フローに含まれるタスクの少なくとも１つを実行する画像処理装置と、ユーザー端末とを含むシステムであって、
前記情報処理装置は、
前記画像処理装置から要求された処理フローが、前記画像処理装置から前記ユーザー端末へ、処理対象となる文書が添付された電子メールを送信するメール送信タスクを含む場合、当該要求された処理フローに対応付けて電子メールのサブジェクトを発行する発行手段と、
前記発行手段にて発行したサブジェクトを、当該電子メールのサブジェクトとするように、前記要求された処理フローに含まれる前記メール送信タスクに設定する設定手段と、
前記設定手段にて設定された処理フローを前記画像処理装置に送信する第一の送信手段と
を有し、
前記画像処理装置は、
前記第一の送信手段にて送信された前記処理フローを受信する第一の受信手段と、
前記第一の受信手段で受信された前記処理フローに含まれる前記メール送信タスクに設定されたサブジェクトが、前記電子メールのサブジェクトとして設定された、添付文書付きの電子メールを、前記ユーザー端末へ送信する第二の送信手段と
を有することを特徴とするシステム。
【請求項１０】
前記メール送信タスクは、更に、前記画像処理装置から前記ユーザー端末に前記添付文書付きの電子メールを送信する際に用いる当該ユーザー端末のメールアドレスを含むことを特徴とする請求項９に記載のシステム。
【請求項１１】
前記情報処理装置は、
電子メールを受信する第二の受信手段と、
前記第二の受信手段が、前記ユーザー端末で操作された添付文書付きの電子メールを受信した場合、当該受信した電子メールに含まれる前記操作された添付文書に対して、当該電子メールのサブジェクトに対応する処理フローの実行を継続する実行手段と
を更に有することを特徴とする請求項９または１０に記載のシステム。
【請求項１２】
複数のタスクを含む処理フローに含まれる少なくとも１つのタスクを実行する画像処理装置と、ユーザー端末とに接続された、処理フローを管理する情報処理装置であって、
前記画像処理装置から要求された処理フローが、前記画像処理装置から前記ユーザー端末へ、処理対象となる文書が添付された電子メールを送信するメール送信タスクを含む場合、当該要求された処理フローに対応付けてメールアドレスを発行する発行手段と、
前記発行されたメールアドレスを、前記電子メールのＲｅｐｌｙ−Ｔｏ設定として、前記要求された処理フローに含まれる前記メール送信タスクに設定する設定手段と、
前記設定手段にて設定された処理フローを前記画像処理装置に送信する送信手段と
を有することを特徴とする情報処理装置。
【請求項１３】
複数のタスクを含む処理フローに含まれる少なくとも１つのタスクを実行する画像処理装置と、ユーザー端末とに接続された、処理フローを管理する情報処理装置であって、
前記画像処理装置から要求された処理フローが、前記画像処理装置から前記ユーザー端末へ、処理対象となる文書が添付された電子メールを送信するメール送信タスクを含む場合、当該要求された処理フローに対応付けて電子メールのサブジェクトを発行する発行手段と、
前記発行手段にて発行したサブジェクトを、当該電子メールのサブジェクトとするように、前記要求された処理フローに含まれる前記メール送信タスクに設定する設定手段と、
前記設定手段にて設定された処理フローを前記画像処理装置に送信する送信手段と
を有することを特徴とする情報処理装置。
【請求項１４】
複数のタスクを含む処理フローに含まれる少なくとも１つのタスクを実行する画像処理装置と、ユーザー端末とに接続された、処理フローを管理する情報処理装置の制御方法であって、
前記画像処理装置から要求された処理フローが、前記画像処理装置から前記ユーザー端末へ、処理対象となる文書が添付された電子メールを送信するメール送信タスクを含む場合、当該要求された処理フローに対応付けてメールアドレスを発行する発行工程と、
前記発行されたメールアドレスを、前記電子メールのＲｅｐｌｙ−Ｔｏ設定として、前記要求された処理フローに含まれる前記メール送信タスクに設定する設定工程と、
前記設定工程にて設定された処理フローに含まれるタスクを前記画像処理装置に送信する送信工程と
を有することを特徴とする制御方法。
【請求項１５】
複数のタスクを含む処理フローに含まれる少なくとも１つのタスクを実行する画像処理装置と、ユーザー端末とに接続された、処理フローを管理する情報処理装置の制御方法であって、
前記画像処理装置から要求された処理フローが、前記画像処理装置から前記ユーザー端末へ、処理対象となる文書が添付された電子メールを送信するメール送信タスクを含む場合、当該要求された処理フローに対応付けて電子メールのサブジェクトを発行する発行工程と、
前記発行工程にて発行したサブジェクトを、当該電子メールのサブジェクトとするように、前記要求された処理フローに含まれる前記メール送信タスクに設定する設定工程と、
前記設定工程にて設定された処理フローを前記画像処理装置に送信する送信工程と
を有することを特徴とする制御方法。
【請求項１６】
コンピュータを、
画像処理装置から要求された複数のタスクを含む処理フローが、前記画像処理装置からユーザー端末へ、処理対象となる文書が添付された電子メールを送信するメール送信タスクを含む場合、当該要求された処理フローに対応付けてメールアドレスを発行する発行手段、
前記発行されたメールアドレスを、前記電子メールのＲｅｐｌｙ−Ｔｏ設定として、前記要求された処理フローに含まれる前記メール送信タスクに設定する設定手段、
前記設定手段にて設定された処理フローに含まれるタスクを前記画像処理装置に送信する送信手段
として機能させるためのプログラム。
【請求項１７】
コンピュータを、
画像処理装置から要求された複数のタスクを含む処理フローが、前記画像処理装置からユーザー端末へ、処理対象となる文書が添付された電子メールを送信するメール送信タスクを含む場合、当該要求された処理フローに対応付けて電子メールのサブジェクトを発行する発行手段、
前記発行手段にて発行したサブジェクトを、当該電子メールのサブジェクトとするように、前記要求された処理フローに含まれる前記メール送信タスクに設定する設定手段、
前記設定手段にて設定された処理フローに含まれるタスクを前記画像処理装置に送信する送信手段
として機能させるためのプログラム。
【手続補正２】
【補正対象書類名】明細書
【補正対象項目名】０００９
【補正方法】変更
【補正の内容】
【０００９】
本願発明は上記課題を解決するために以下の構成を有する。すなわち、複数のタスクを含む処理フローを管理する情報処理装置と、処理フローに含まれるタスクの少なくとも１つを実行する画像処理装置と、ユーザー端末とを含むシステムであって、前記情報処理装置は、前記画像処理装置から要求された処理フローが、前記画像処理装置から前記ユーザー端末へ、処理対象となる文書が添付された電子メールを送信するメール送信タスクを含む場合、当該要求された処理フローに対応付けてメールアドレスを発行する発行手段と、前記発行されたメールアドレスを、前記電子メールのＲｅｐｌｙ−Ｔｏ設定として、前記要求された処理フローに含まれる前記メール送信タスクに設定する設定手段と、前記設定手段にて設定された処理フローを前記画像処理装置に送信する第一の送信手段とを有し、前記画像処理装置は、前記第一の送信手段によって送信された前記処理フローを受信する第一の受信手段と、前記第一の受信手段にて受信された前記処理フローに含まれる前記メール送信タスクに設定されたメールアドレスがＲｅｐｌｙ−Ｔｏに設定された、添付文書付きの電子メールを、前記ユーザー端末へ送信する第二の送信手段とを有する。